(57)【要約】      （修正有）【課題】櫛型保持器に関して、高速回転での使用が可能となり、また、早期にグリース不足となるのを抑制する。【解決手段】円環部１０、及び、この円環部１０の一側面１１から軸方向に延びかつ周方向に間隔をあけて設けられている複数の柱部２０を備えている。円環部１０の一側面１１側であって周方向隣り合う柱部２０，２０の間にころ４を保持するポケット７が形成されている。円環部１０の外周に、外輪の内周面に隙間を有して対向し内周面に案内される凸部４１と、外輪の内周面との間でグリースを保持する凹部４２とがそれぞれ周方向に複数設けられている。【選択図】図２
2014228037.tif 000002
【特許請求の範囲】
【請求項１】
内輪と外輪との間に複列状態で複数のころが配置される複列ころ軸受に組み込まれ、列毎に複数の前記ころを保持する櫛型保持器であって、
円環部、及び、この円環部の一側面から軸方向に延びかつ周方向に間隔をあけて設けられている複数の柱部を備え、前記円環部の前記一側面側であって周方向隣り合う前記柱部の間に前記ころを保持するポケットが形成され、
前記円環部の外周に、前記外輪の内周面に隙間を有して対向し当該内周面に案内される凸部と、前記外輪の内周面との間でグリースを保持する凹部と、がそれぞれ周方向に複数設けられていることを特徴とする複列ころ軸受用の櫛型保持器。
【請求項２】
前記円環部は、前記柱部とそれぞれ繋がっている複数の第１円弧部と、周方向で隣り合う前記第１円弧部の間に存在する第２円弧部とから構成され、
前記第１円弧部の外周側に前記凸部が設けられ、前記第２円弧部の外周側に前記凹部が設けられている請求項１に記載の複列ころ軸受用の櫛型保持器。
【請求項３】
前記外輪の内周面に隙間を有して対向する前記凸部の径方向外側面は、当該内周面との間の径方向隙間寸法が周方向に沿って一定である円弧面と、この円弧面の周方向端部から周方向に延びて設けられかつその延びる方向に向かうにつれて前記内周面との間の径方向隙間寸法が大きくなる小径面と、を有している請求項１又は２に記載の複列ころ軸受用の櫛型保持器。
【請求項４】
前記凸部と前記凹部とは周方向に沿って交互に配置されており、
前記凸部の軸方向寸法は、前記円環部の軸方向寸法以上である請求項１〜３のいずれか一項に記載の複列ころ軸受用の櫛型保持器。
【請求項５】
内輪と、外輪と、これら内輪と外輪との間に二列状態で配置された複数のころと、列毎に複数の前記ころを保持すると共に独立して回転可能な二つの保持器と、を備え、
前記保持器それぞれは、円環部、及び、この円環部の一側面から軸方向に延びかつ周方向に間隔をあけて設けられている複数の柱部を備えた櫛型保持器であり、
前記円環部の前記一側面側であって周方向隣り合う前記柱部の間に前記ころを保持するポケットが形成され、
前記円環部の外周に、前記外輪の内周面に隙間を有して対向し当該内周面に案内される凸部と、前記外輪の内周面との間でグリースを保持する凹部と、がそれぞれ周方向に複数設けられていることを特徴とする複列ころ軸受。
【請求項６】
二つの前記櫛型保持器それぞれが有する前記円環部は、前記柱部とそれぞれ繋がっている複数の第１円弧部と、周方向で隣り合う前記第１円弧部の間に存在する第２円弧部とから構成され、
前記第１円弧部の外周側に前記凸部が設けられ、前記第２円弧部の外周側に前記凹部が設けられ、
一方の前記櫛型保持器の前記円環部の他側面は、他方の前記櫛型保持器の前記円環部の他側面と摺接する摺接面となる請求項５に記載の複列ころ軸受。
【発明の詳細な説明】
【技術分野】
【０００１】
本発明は、複列ころ軸受に組み込まれる櫛型保持器、及び櫛型保持器を備えている複列ころ軸受に関する。
【背景技術】
【０００２】
工作機械において、主軸を回転可能に支持する軸受部には、高い加工精度を維持するために高い剛性が必要とされており、このために複列ころ軸受が用いられている。さらに近年では、主軸の高速回転化が要求されていることから、高速回転に対応することのできる複列ころ軸受が求められている。
【０００３】
複列ころ軸受は、内輪、外輪、及び、これら内輪と外輪との間に複列状態で配置された複数のころを備えている。そして、特許文献１に示すように、列毎に複数のころを保持する独立した保持器を備えた複列ころ軸受がある。つまり、この複列ころ軸受には、保持器が二つ組み込まれている。各保持器は、円環部、及び、この円環部の一側面から軸方向に延びかつ周方向に間隔をあけて設けられている複数の柱部を備え、櫛型に構成されている。そして、周方向で隣り合う柱部の間が、ころを保持するポケットとなる。
【０００４】
櫛型保持器の場合、柱部が円環部から軸方向に突出している片持ち梁状であるため、柱部の先部側は、ある程度自由に変形できる。このため、例えば複列ころ軸受の回転に伴ってころの進み遅れが発生し、これによって柱部に引っ張り力と圧縮力とが繰り返し作用しても、その力を逃がすことができ、破損が生じにくい。これに対して、一対の円環部の間が柱部により連結された構成である、かご型保持器の場合、柱部は両側の円環部に固定されており変形が拘束されることから、柱部に引っ張り力と圧縮力とが繰り返し作用すると、その力を逃がし難く、櫛型保持器に比べて破損が生じやすい。
【先行技術文献】
【特許文献】
【０００５】
【特許文献１】特開２０１２−１０２７９６号公報（図３参照）
【発明の概要】
【発明が解決しようとする課題】
【０００６】
工作機械の主軸は、高速回転するとともに、その回転速度が急変（急加速）することがあり、この場合、主軸を支持する複列ころ軸受及びその保持器の回転速度も急変（急加速）する。
複列ころ軸受には潤滑性能を維持するためにグリースが設けられており、そのグリースは保持器にも付着して保持されているが、回転速度が急変すると、保持器に保持されていたグリースが飛び散ることがある。例えば、グリースが保持器から軸方向外側へ振り切られ、早期にグリース不足が発生するおそれがある。グリース不足が発生すると、複列ころ軸受の焼き付きや損傷の原因となり、軸受の寿命（耐久性）が低下してしまうという問題点がある。
【０００７】
そこで、本発明は、高速回転での使用が可能となり、また、早期にグリース不足となるのを抑制することができる櫛型保持器、及び、このような櫛型保持器を備えている複列ころ軸受を提供することを目的とする。
【課題を解決するための手段】
【０００８】
本発明は、内輪と外輪との間に複列状態で複数のころが配置される複列ころ軸受に組み込まれ、列毎に複数の前記ころを保持する櫛型保持器であって、円環部、及び、この円環部の一側面から軸方向に延びかつ周方向に間隔をあけて設けられている複数の柱部を備え、前記円環部の前記一側面側であって周方向隣り合う前記柱部の間に前記ころを保持するポケットが形成され、前記円環部の外周に、前記外輪の内周面に隙間を有して対向し当該内周面に案内される凸部と、前記外輪の内周面との間でグリースを保持する凹部とがそれぞれ周方向に複数設けられていることを特徴とする。
【０００９】
本発明によれば、円環部の外周に、外輪の内周面に隙間を有して対向し当該内周面に案内される凸部が、周方向に複数設けられていることで、これら凸部によってこの櫛型保持器は径方向の位置決めがされ回転することができる。そして、この円環部の外周には、外輪の内周面との間でグリースを保持する凹部が複数設けられており、このグリースが前記凸部と外輪の内周面との間に供給されることで、櫛型保持器と外輪との間の回転抵抗を小さくすることができ、高速回転での使用が可能となる。そして、凹部にグリースを保持することで、複列ころ軸受内において早期にグリース不足となるのを抑制することができる。
【００１０】
また、前記円環部は、前記柱部とそれぞれ繋がっている複数の第１円弧部と、周方向で隣り合う前記第１円弧部の間に存在する第２円弧部とから構成され、前記第１円弧部の外周側に前記凸部が設けられ、前記第２円弧部の外周側に前記凹部が設けられているのが好ましい。
この場合、凹部に保持されているグリースが、ポケットに保持されているころ側へも供給され、そのグリースは、ころと外輪との間の潤滑に寄与することができる。
【００１１】
また、前記外輪の内周面に隙間を有して対向する前記凸部の径方向外側面は、当該内周面との間の径方向隙間寸法が周方向に沿って一定である円弧面と、この円弧面の周方向端部から周方向に延びて設けられかつその延びる方向に向かうにつれて前記内周面との間の径方向隙間寸法が大きくなる小径面とを有しているのが好ましい。
この場合、凸部の径方向外側面の内の、円弧面は外輪の内周面に沿った形状となり、櫛型保持器は安定して外輪に案内される。そして、外輪と櫛型保持器とが相対回転すると、凹部に保持されているグリースは小径面に沿って移動しやすくなり、そのグリースは凸部の円弧面と外輪の内周面との間に供給される。
【００１２】
また、前記凸部と前記凹部とは周方向に沿って交互に配置されており、前記凸部の軸方向寸法は、前記円環部の軸方向寸法以上であるのが好ましい。
この場合、周方向で隣り合う凹部の間には凸部が存在し、凸部の軸方向寸法は円環部の軸方向寸法以上であることから、この凸部によって、一方の凹部で保持されているグリースが他方の凹部へ流れるのを制限することができ、凹部それぞれにおいてグリースを保持する機能が高まる。
【００１３】
また、本発明の複列ころ軸受は、内輪と、外輪と、これら内輪と外輪との間に二列状態で配置された複数のころと、列毎に複数の前記ころを保持すると共に独立して回転可能な二つの保持器とを備え、前記保持器それぞれは、円環部、及び、この円環部の一側面から軸方向に延びかつ周方向に間隔をあけて設けられている複数の柱部を備えた櫛型保持器であり、前記円環部の前記一側面側であって周方向隣り合う前記柱部の間に前記ころを保持するポケットが形成され、前記円環部の外周に、前記外輪の内周面に隙間を有して対向し当該内周面に案内される凸部と、前記外輪の内周面との間でグリースを保持する凹部と、がそれぞれ周方向に複数設けられていることを特徴とする。
【００１４】
本発明によれば、円環部の外周に、外輪の内周面に隙間を有して対向し当該内周面に案内される凸部が、周方向に複数設けられていることで、これら凸部によってこの櫛型保持器は径方向の位置決めがされ回転することができる。そして、この円環部の外周には、外輪の内周面との間でグリースを保持する凹部が複数設けられており、このグリースが前記凸部と外輪の内周面との間に供給されることで、櫛型保持器と外輪との間の回転抵抗を小さくすることができ、高速回転での使用が可能となる。そして、凹部にグリースを保持することで、複列ころ軸受内において早期にグリース不足となるのを抑制することができる。
【００１５】
また、前記複列ころ軸受において、二つの前記櫛型保持器それぞれが有する前記円環部は、前記柱部とそれぞれ繋がっている複数の第１円弧部と、周方向で隣り合う前記第１円弧部の間に存在する第２円弧部とから構成され、前記第１円弧部の外周側に前記凸部が設けられ、前記第２円弧部の外周側に前記凹部が設けられ、一方の前記櫛型保持器の前記円環部の他側面は、他方の前記櫛型保持器の前記円環部の他側面と摺接する摺接面となるのが好ましい。
この場合、一方の櫛型保持器の各凹部は、その櫛型保持器のポケットに保持されているころ、周方向両側の凸部、及び他方の櫛型保持器の凸部（又はその櫛型保持器のポケットに保持されているころ）によって囲まれた凹部となり、このような凹部に保持されているグリースは、外部へ流出しにくくなる。つまり、凹部に保持されているグリースが軸方向外側に飛び散るのを抑制することができる。
【発明の効果】
【００１６】
本発明の櫛型保持器、及びこの櫛型保持器を備えている複列ころ軸受によれば、円環部の外周の凹部に保持されているグリースが、同じ円環部の外周に設けられている凸部と、外輪の内周面との間に供給されることで、櫛型保持器と外輪との間の回転抵抗を小さくすることができ、高速回転での使用が可能となる。そして、凹部にグリースを保持することで、複列ころ軸受内において早期にグリース不足となるのを抑制することができる。
【図面の簡単な説明】
【００１７】
【図１】複列ころ軸受の縦断面図である。
【図２】保持器の斜視図である。
【図３】保持器の一部を保持器の軸方向から見た図である。
【図４】保持器の一部を拡大して示す斜視図である。
【図５】円環部の径方向外側部分を拡大して示す説明図であり、保持器の軸方向から見た図である。
【図６】図１に示す一対の保持器の一部、及びころを径方向外側から見た図である。
【図７】図３のＶ１−Ｖ１矢視の断面図である。
【図８】凸部の変形例を示す断面図である。
【図９】保持器の斜視図である。
【図１０】図９の一部を拡大して示す拡大図である。
【図１１】保持器の一部を保持器の軸方向から見た図である。
【図１２】図１１のＶ２−Ｖ２矢視の断面図である。
【図１３】第一溝の溝断面形状（横断面形状）を説明する説明図である。
【図１４】（Ａ）は、保持器の一部を第二溝の溝長手方向に切断して見た断面図であり、（Ｂ）は、第二溝の変形例を示す断面図であり、（Ｃ）は、（Ａ）に示す保持器の変形例を示す断面図である。
【図１５】第一溝の他の形態の説明図である。
【図１６】第一溝のさらに他の形態の説明図である。
【図１７】他の形態の保持器を平面的に展開し、その保持器内面を模式的に示した図である。
【図１８】さらに他の形態の保持器を平面的に展開し、その保持器内面を模式的に示した図である。
【図１９】他の実施形態の保持器を示す斜視図である。
【図２０】他の実施形態の保持器を示す斜視図である。
【発明を実施するための形態】
【００１８】
以下、本発明の実施の形態を図面に基づいて説明する。
〔１．  複列ころ軸受の全体構成について〕
図１は、複列ころ軸受１の縦断面図である。なお、各図面において同一の構成要素に対しては同一の符号（参照番号）を付し、重複する説明は省略する。
【００１９】
この複列ころ軸受１は、例えば、汎用旋盤、ＣＮＣ旋盤、マシニングセンタ、フライス盤等の工作機械の主軸６を支持する軸受として使用され、高速回転する主軸６を高い剛性で支持することが可能である。
主軸６の直径は例えば５０〜１５０ミリ程度であり、主軸６の最大回転数は１００００〜１５０００ｒｐｍとなる。そして、主軸６は、低速回転する場合や、高速回転する場合があり、また、低速又は停止状態から高速回転状態（最大回転数）へと急加速する。
【００２０】
本実施形態の複列ころ軸受１は、内輪２と、外輪３と、これら内輪２と外輪３との間に配置された複数のころ４と、これらころ４を保持する環状の保持器５，５とを備えている。ころ４は、複列状態（二列状態）で配置されており、保持器５，５それぞれは、列毎に独立して複数のころ４を保持している。つまり、この複列ころ軸受１には、独立した二つの保持器５，５が組み込まれている。ころ４の外周面は円筒形であり、この複列ころ軸受１は複列円筒ころ軸受である。
【００２１】
内輪２の外周面には、二列に配置されたころ４が転動する転動面２ａ，２ｂが形成されており、外輪３の内周面の一部が、二列のころ４が転動する転動面３ａ，３ｂとなる。そして、外輪３が工作機械の軸受ハウジング８の内周面に取り付けられており、内輪２に主軸６が挿入されている。この複列ころ軸受１はグリース潤滑されており、内輪２、外輪３、ころ４及び保持器５にはグリースが付着している。
【００２２】
〔２．  保持器５について〕
一方側のころ列用の保持器５と他方側のころ列用の保持器５とは、複列ころ軸受１への取り付け方向が異なるが、同じものである。これら保持器５，５は、軸方向に並べて複列ころ軸受１に組み込まれており、各保持器５の軸方向に向く一側面１１が、複列ころ軸受１の軸方向外側へ向くように配置され、保持器５，５の対向する環状の背面１４，１４同士が接触可能となる。そして、保持器５，５それぞれは独立して各ころ列と共に回転することができる。
【００２３】
図２は、保持器５（図１の右側の保持器５）の斜視図である。この保持器５は、櫛型保持器であり、円環形状である円環部１０と、複数の柱部２０とを備えている。複数の柱部２０は、周方向に間隔（等間隔）をあけて設けられており、各柱部２０は、円環部１０の一側面１１から軸方向に向かって延びて形成されている。このため、柱部２０は、円環部１０から突出した片持ち梁状となる。なお、一側面１１の軸方向反対側の面（他側面）が前記背面１４となる。背面１４は、円環状の滑らかな面により構成されており、軸方向の隣りに設置される別の保持器５の背面１４と接触可能となる合わせ面となる。
そして、二つの保持器５，５（図１参照）はそれぞれ独立して回転可能であることから、一方の保持器５の円環部１０の背面１４（他側面）は、他方の保持器５の円環部１０の背面１４（他側面）と摺接する摺接面となり、また、他方の保持器５の円環部１０の背面１４（他側面）は、一方の保持器５の円環部１０の背面１４（他側面）と摺接する摺接面となる。
【００２４】
保持器５は、樹脂製（合成樹脂製）であり、射出成型により製造され、円環部１０と柱部２０とは一体に成型されている。保持器５の材質は、例えば、ポリエーテルエーテルケトン（ＰＥＥＫ）や、ポリアミドとすることができる。
【００２５】
柱部２０は周方向一定間隔おきに設けられており、円環部１０の一側面１１側であって周方向隣り合う柱部２０，２０の間に、ころを保持するポケット７が形成されている。つまり、各ポケット７は、周方向に隣接する柱部２０，２０の互いに対向する対向面２４，２４と、円環部１０の一側面１１とで囲まれた空間からなる。各ポケット７は、軸方向外側に向かって開口しており、保持器５は全体として櫛歯形状となる。
【００２６】
円環部１０は、複数の柱部２０とそれぞれ繋がっている複数の第１円弧部４３と、周方向で隣り合う第１円弧部４３，４３の間に存在する複数の第２円弧部４４とから構成されている。円環部１０は、周方向に沿って第１円弧部４３と第２円弧部４４とが交互に配置され、かつ、これら円弧部４３，４４が一体となって構成された円環状の部分である。そして、第１円弧部４３は、柱部２０の軸方向隣りに位置する部分であり、第２円弧部４４は、ポケット７の軸方向隣りに位置する部分である。
【００２７】
本実施形態では、外輪３と保持器５とが相対回転する際、円環部１０の外周面の一部（後述の凸部４１）が、外輪３の内周面に案内されることで、保持器５は径方向について位置決めされる（外輪案内）。
【００２８】
〔３．  保持器５の機能について（その１）〕
図３は、保持器５の一部を保持器５の軸方向から見た図である。なお、柱部２０については断面により示している。図４は、保持器５の一部を拡大して示す斜視図である。この保持器５の円環部１０の外周には、凸部４１と凹部４２とが周方向に沿って交互に設けられている。凸部４１は、円環部１０の径方向外側部分のうち、凹部４２と比較して径方向寸法が大きい部分であり、凹部４２は、円環部１０の径方向外側部分のうち、凸部４１と比較して径方向寸法が小さい部分である。
【００２９】
円環部１０は、前記のとおり、柱部２０が繋がっている第１円弧部４３と、周方向で隣り合う一組の第１円弧部４３，４３の間に存在する第２円弧部４４とから構成されており、本実施形態では、第１円弧部４３の外周側に凸部４１が設けられ、第２円弧部４４の外周側に凹部４２が設けられている。このため、保持器５は、周方向に沿って柱部２０と同じ周方向間隔で凸部４１が複数設けられた構成となる。また、全ての凸部４１は同じ形状であり、全ての凹部４２は同じ形状であり、一つの凸部４１の周方向隣りに一つの凹部４２が設けられている。
【００３０】
図５は、円環部１０の径方向外側部分を拡大して示す説明図であり、保持器５の軸方向から見た図である。凸部４１は、外輪３の内周面３ｃに隙間Ｙを有して対向しており、保持器５が回転する際に、この内周面３ｃに案内される部分となる。また、この凸部４１の径方向外側面４５は、円弧面４６と、その周方向両側に設けられている小径面４７，４７とを有している。
円弧面４６は、内周面３ｃとの間の径方向隙間寸法Ｙ２が周方向に沿って一定となっている面である。なお、この円弧面４６上では、内周面３ｃとの間の径方向隙間寸法Ｙ２が、軸方向についても一定である。
小径面４７は、円弧面４６の周方向両端部４６ａ，４６ａそれぞれから周方向両側に向かって延びて設けられている面であり、各小径面４７は、その周方向へ延びる方向に向かうにつれて内周面３ｃとの間の径方向隙間寸法Ｙ３が大きくなる面である。
【００３１】
本実施形態の小径面４７は、円弧面４６の端部４６ａから延びている平坦面４７ａと、この平坦面４７ａと凹部４２との境界に設けられているアール面４７ｂとからなる。なお、小径面４７の形状は、これ以外であってもよく、平坦面４７ａの代わりに円弧面、アール面、又は円弧面やアール面に傾斜面が複合された面であってもよく、小径面４７全体が一連の円弧面やアール面や傾斜面であってもよい。
【００３２】
そして、本実施形態の保持器５では、円環部１０の外周側であって周方向で隣り合う凸部４１，４１の間にグリースを保持することができる。つまり、周方向で隣り合う凸部４１，４１の間に形成される凹部４２に、外輪３の内周面３ｃとの間でグリースが保持される。
凹部４２の外周面（底面）４２ａは、円弧面からなり、外輪３の内周面３ｃに径方向の隙間（隙間寸法Ｙ４）を有して対向している。この隙間（隙間寸法Ｙ４）は、周方向に沿って一定であり、凸部４１と内周面３ｃとの径方向の隙間Ｙ（隙間寸法Ｙ２、Ｙ３）よりも大きい。そして、この隙間（Ｙ４）が形成されている領域Ｍに、グリースが溜められる。
【００３３】
この凹部４２が設けられている第２円弧部４４は、ポケット７の軸方向隣りに位置することから、凹部４２における前記隙間（Ｙ４）を形成する空間を軸方向から見た時に、このポケット７に保持されているころ４のうち、凹部４２の外周面（底面）４２ａよりも径方向外側に突出している部分が、壁となって（図３と図５参照）、凹部４２に保持されるグリースが軸方向に流出しにくくなっている。
【００３４】
図６は、図１に示す一対の保持器５，５の一部、及びころ４を径方向外側から見た図である。前記のとおり、一対の保持器５，５それぞれは独立して回転可能であることから、図６に示すように、一方（図６では右側）の保持器５の凹部４２と、他方（図６では左側）の保持器５の凸部４１とが軸方向に並んだ状態で、回転する場合もある。
この場合、図６の右側に示す保持器５の凹部４２（図６においてクロスハッチで示している部分）は、その保持器５のポケット７に保持されているころ４、周方向両側の凸部４１，４１、及び図６の左側に示す保持器５の凸部４１によって囲まれた凹部となり、このような図６に示す右側の保持器５の凹部４２に保持されているグリースは、軸方向の流れが阻害され、外部へ流出しにくくなる。つまり、凹部４２に保持されているグリースが軸方向外側に飛び散るのを抑制することができる。
【００３５】
また、図示しないが、一方の保持器５と他方の保持器５とで、凹部４２同士が軸方向に並んだ状態であっても、これら保持器５，５の凹部４２，４２は、これら保持器５，５のポケット７，７に保持されている軸方向両側のころ４，４、及び周方向両側の凸部４１，４１によって囲まれた凹部となり、これら凹部４２，４２に保持されているグリースは、軸方向の流れが阻害され、外部へ流出しにくくなる。
【００３６】
以上の構成を備えている保持器５によれば、円環部１０の外周に、外輪３の内周面３ｃに隙間Ｙ（図５参照）を有して対向しこの内周面３ｃに案内される凸部４１が、周方向に複数設けられていることで、これら凸部４１によってこの櫛型保持器５は径方向の位置決めがされ回転することができる。そして、この円環部１０の外周には、外輪３の内周面３ｃとの間でグリースを保持する凹部４２が複数設けられており、櫛型保持器５と外輪３との相対回転によって、この凹部４２のグリースが凸部４１と外輪３の内周面３ｃとの間に供給されることで、保持器５と外輪３との間の回転抵抗を小さくすることができ、高速回転での使用が可能となる。そして、凹部４２にグリースを保持することで、複列ころ軸受１内において早期にグリース不足となるのを抑制することができ、この結果、グリース不足による複列ころ軸受１の寿命の低下を防ぐことができる。
【００３７】
また、本実施形態では、ころ４を保持するポケット７の軸方向隣りに位置する第２円弧部４４の外周側に凹部４２が設けられていることから、この凹部４２に保持されているグリースは、ポケット７に保持されているころ４側へも供給され、そのグリースは、ころ４と外輪３との間の潤滑に寄与することができる。
【００３８】
さらに、凸部４１の周方向隣り（回転方向隣り）に、グリースを溜めることができる凹部４２が形成されており、しかも、この凸部４１の径方向外側面４５（図５参照）は、円弧面４６の他に、円弧面４６の周方向両端部４６ａ，４６ａからそれぞれ周方向に延びて設けられ、かつ、その延びる方向に向かうにつれて内周面３ｃとの間の径方向隙間寸法Ｙ３が大きくなる小径面４７，４７を有している。このような径方向外側面４５によれば、円弧面４６は外輪３の内周面３ｃに沿った形状となり、保持器５は安定して外輪３に案内される。そして、外輪３と保持器５とが相対回転すると、凹部４２に保持されているグリースは小径面４７に沿って、周方向隣り（回転方向隣り）の凸部４１側へ移動しやすくなり、そのグリースは凸部４１の円弧面４６と外輪３の内周面３ｃとの間に供給される。この結果、小径面４７は、保持器５（凸部４１）と外輪３との間の回転抵抗の低下に貢献することができる。
【００３９】
また、本実施形態では、図７に示すように、凸部４１が設けられている第１円弧部４３と、凹部４２が設けられている第２円弧部４４とは、軸方向の寸法が同じ（Ｅ０）であり、凸部４１の軸方向寸法Ｅ１は、第１円弧部４３の軸方向寸法（Ｅ０）と同じに構成されている。つまり、凸部４１の軸方向寸法Ｅ１は、円環部１０の軸方向寸法Ｅ０と同じに構成されている。なお、図７は、図３のＶ１−Ｖ１矢視の断面図である。
また、第２円弧部４４の軸方向全長にわたって、凹部４２の底面が構成されている。つまり、凹部４２の軸方向寸法は、円環部１０の軸方向寸法Ｅ０と同じに構成されている。
【００４０】
さらに、本実施形態では、凸部４１の径方向外側面４５と、柱部２０の径方向外側面２７とは、滑らかに連続しており、一つの面（滑らかな曲面）を構成している。
また、柱部２０の径方向外側面２７は、外輪３の内周面３ｃに径方向隙間を有して対向しており、この径方向外側面２７の基部２７ａ（図７参照）では、凸部４１の円弧面４６（図５参照）と同様に、外輪３の内周面３ｃとの径方向隙間寸法Ｙ２が周方向に沿って一定となっている。そして、この径方向外側面２７は、基部２７ａから先部２７ｂへ向かうにしたがって、径方向の隙間（Ｙ５）が大きくなる面となっている。
【００４１】
以上より、柱部２０のうち径方向外側面２７の基部２７ａを含む部分を、凸部４１と考えることもでき、この場合の凸部４１の軸方向寸法Ｅ１は、円環部１０の軸方向寸法Ｅ０よりも大きくなる。つまり、凸部４１の軸方向寸法Ｅ１は、円環部１０の軸方向寸法Ｅ０以上であればよい。
【００４２】
このように、周方向で隣り合う凹部４２，４２の間には凸部４１が存在し、この凸部４１の軸方向寸法Ｅ１は、円環部１０の軸方向寸法Ｅ０以上であることから、この凸部４１が壁となることによって、凹部４２で保持されているグリースが、当該凸部４１を挟んで周方向隣りに位置する別の凹部４２へ流れるのを制限することができ、凹部４２それぞれにおいてグリースを保持する機能を高めることができる。
【００４３】
図８は、凸部４１の変形例を示す断面図である。この変形例では、凸部４１の軸方向寸法Ｅ１が、円環部１０の軸方向寸法Ｅ０未満である。この場合、円環部１０（第１円弧部４３）の外周側であって、凸部４１の軸方向隣り側に、周方向で隣り合う凹部４２，４２間を繋ぐ周方向に連続した通路４８が形成される。
この場合、外輪３と保持器５とが相対回転すると、一方の凹部４２に保持されているグリースは、通路４８を通って、周方向で隣りに位置する他方の凹部４２側へと流れる。そして、通路４８を通過したグリースは、隣りの凹部４２に一側面１１側から押し込まれ、その凹部４２に保持されていたグリースは、背面１４側から軸方向に押し出されるおそれがある。
以上より、凹部４２においてグリースを保持する機能は、凸部４１の軸方向寸法Ｅ１が、円環部１０の軸方向寸法Ｅ０以上である場合（図７に示す形態）の方が、優れている。
【００４４】
また、複列ころ軸受１においては、本実施形態のように櫛型保持器５が用いられる以外に、図示しないが、一対の円環部の間が柱部により連結された構成である「かご型保持器」が用いられることもある。かご形保持器の場合、ころが存在する空間は、一対の円環部と外輪（及び内輪）とによって囲まれた閉塞空間となることから、この空間でグリースの流れが抑制され、グリースの撹拌抵抗が大きくなり、特に高速回転の環境で用いられると、発熱の原因となる。
しかし、本実施形態の櫛型保持器５の場合（図１参照）、各櫛型保持器５は単一の円環部１０を有しており、複列ころ軸受１の軸方向外側には、円環部が存在していない。このため、ころ４が存在する空間は、かご型保持器のように閉塞されておらず、軸方向外側へ向かって開放されている。したがって、グリースの撹拌抵抗が大きくなるのを抑えることができ、高速回転の環境で用いられても、発熱を抑制することが可能となる。
【００４５】
〔４．  保持器５の機能について（その２）〕
図９は、櫛型保持器５の変形例を示す斜視図である。図９に示す保持器５は、図２に示す保持器５と比べて次の点で異なる。すなわち、図９に示す保持器５は、ころ４の端面４ａ（図１参照）との間でグリースを溜めて保持することができ、かつ、保持しているグリースを、ころ４の端面４ａとの間（ポケット７）に供給する機能を有している。
なお、図２と図９とに示す保持器５に関して、他の構成については同じであり、同じ構成については説明を省略する。前記機能を奏するための構成について以下説明する。
【００４６】
図１０は、図９の一部を拡大して示す拡大図である。図１１は、保持器５の一部を保持器５の軸方向から見た図である。図１２は、図１１のＶ２−Ｖ２矢視の断面図である。
保持器５の円環部１０において、ポケット７内のころ４の端面４ａ（図１２参照）が対向する面１５に、凹部１６が形成されている。この凹部１６は、ころ４の端面４ａとの間でグリースを保持するために、端面４ａ側に開口して形成されている。なお、凹部１６が形成されている前記面１５は、ポケット７内の一側面１１である。そして、凹部１６は、更に、円環部１０の内周面１２に存在しているグリースを導入させるために、内周面１２において開口している。
【００４７】
凹部１６は、ころ４の端面４ａに対向する底面１７、底面１７の径方向外側部から端面４ａ側に向かって延びて設けられている外側壁面１８、及び、底面１７の周方向両側部から端面４ａ側に向かって延びて設けられている一対の横壁面１９，１９を有している。底面１７、外側壁面１８及び横壁面１９，１９によって囲まれた空間に、グリースを溜めて、ころ４の端面４ａとの間でそのグリースを保持することができる。なお、保持器５，５が複列ころ軸受１に組み込まれた組み立て完了状態で、一側面１１（面１５）と、ころ４の端面４ａとは、隙間を有して対面した配置となる（図１２参照）。
【００４８】
そして、図１２に示すように、凹部１６に含まれる底面１７は、径方向内側から径方向外側へ向かうにしたがってころ４の端面４ａへ接近する面からなる。本実施形態では、底面１７は、円環部１０の内周面１２（後述する内周面１２に形成されている第一溝１３）から、径方向外側に向かうにしたがって、端面４ａへ接近する傾斜面からなる。
【００４９】
凹部１６内の径方向外側に形成されている外側壁面１８は、円環部１０の一側面１１と交差する。本実施形態では、外側壁面１８は一側面１１と直交している。また、図１１に示すように、外側壁面１８は円弧面（半円弧面）として形成されており、その円弧の中心線は、ころ４の中心線と一致する。なお、図１１と図１２とにおいて、外側壁面１８の円弧状となる輪郭（開口側の輪郭）を太線で示している。つまり、太線の部分が、外側壁面１８である。
【００５０】
図１２に示すように、ころ４の端面４ａの中央には、ころ４の製造の都合により、窪部４０が形成されている。そして、ころ４の端面４ａに対して凹部１６の開口縁（エッジ）が摺接するのは、できるだけ避けるのが好ましい。
そこで、本実施形態の保持器５では、凹部１６の外側壁面１８における開口縁１８ａ（図１１と図１２の太線部分）は、一側面１１（面１５）のうち窪部４０に対向する領域内に位置している。なお、図１１では、前記領域を符号Ｋで示しており、その領域Ｋにクロスハッチを付している。
【００５１】
この構成によれば、凹部１６の外側壁面１８における開口縁１８ａ（エッジ）は、窪部４０内の底面４０ａ（図１２参照）と対向し、開口縁１８ａ（エッジ）が、ころ４の端面４ａに摺接するのを防ぐことが可能となる。このため、ころ４の端面４ａに対して凹部１６の開口縁１８ａ（エッジ）が摺接する範囲を小さくすることができる。
【００５２】
〔５．  保持器５の機能について（その３）〕
さらに、図１０に示すように、保持器５が前記機能（グリースを溜めて保持し、そのグリースをころ４の端面４ａとの間に供給する機能）をより発揮させるために、円環部１０の内周面１２に、周方向を溝長手方向とする溝（第一溝）１３が形成されている。そして、この第一溝１３と凹部１６とは繋がっている。つまり、凹部１６の一部は、第一溝１３において開口している。なお、本実施形態では、第一溝１３は周方向に連続した溝である。また、この図１０に示す実施形態では、第一溝１３の他に、第二溝２２及び第三溝２３が、保持器内面９に形成されている。
【００５３】
このように、円環部１０の内周面１２と柱部２０の径方向内側の面２１とを含む保持器内面９の一部に、グリースを保持する溝（１３，２２，２３）が形成されていることによって、保持器５は、主軸６が急加速してもグリースが多く飛び散らないように保持することができ、かつ、保持しているグリースを、保持器５の回転に伴ってころ４との間（ポケット７）、及び、隣りに設置される別の保持器５との間（背面１４，１４間）に、徐々に供給する機能を有することができる。
【００５４】
第一溝１３は、円環部１０の内周面１２に形成されており、周方向を溝長手方向とする溝である。本実施形態では、第一溝１３は周方向に連続した溝である。第一溝１３は、径方向内側へ向かって開口する溝であり、この第一溝１３内にグリースを溜め保持することができる。つまり、保持器５が回転することで第一溝１３内のグリースに遠心力が作用しても、そのグリースは第一溝１３内に保持される。
【００５５】
図１０において、第二溝２２は、柱部２０の径方向内側の面２１に形成されており、柱部２０の延設方向（保持器５の中心線に平行な方向）を溝長手方向とする溝である。第二溝２２は、柱部２０毎に設けられており、また、第一溝１３と繋がっており、先部２６まで柱部２０を貫通した溝ではなく、柱部２０の基部２５まで延びて形成されている。第二溝２２は、第一溝１３に保持されているグリースを柱部２０の径方向内側の面２１へと誘導することができる。
【００５６】
図１４（Ａ）は、保持器５の一部を第二溝２２の溝長手方向に切断して見た断面図である。本実施形態では、柱部２０の径方向内側の面２１は、柱部２０の先部２６側に向かって径方向外側へ拡大する傾斜面からなる。これに対して第二溝２２（第二溝２２の溝底部２８）は、保持器５の中心線に平行な直線に沿って形成されている。このため、図１４（Ａ）に示すように、先部２６側に向かうにしたがって徐々に第二溝２２の溝深さは浅くなり、溝底部２８はやがて面２１と交差する。第二溝２２は柱部２０の基部２５まで延びる溝として構成され、この基部２５において、第二溝２２は自然に消失する。
【００５７】
図１４（Ｂ）は、第二溝２２の変形例を示す断面図である。この第二溝２２の溝底部２８は、傾斜面からなる径方向内側の面２１と平行となる。そして、この第二溝２２は、溝先端に、面２１に交差（直交）する壁面２９を有している。この壁面２９により、溝底部２８と面２１とによる段付き形状が構成される。この第二溝２２によれば、第二溝２２におけるグリースを溜める機能が高まる。つまり、第二溝２２に溜められているグリースが、柱部２０の先部２６側へ流れ出ようとしても、壁面２９によって阻止される。
【００５８】
図１４（Ｃ）は、図１４（Ａ）に示す保持器５の変形例を示す断面図であり、この保持器５の柱部２０の径方向内側の面２１は、保持器５の中心線に平行な面からなり、傾斜面ではない。図１４（Ｃ）に示す第二溝２２は、図１４（Ｂ）に示す第二溝２２と同様に、溝先端に面２１に交差（直交）する壁面２９を有しており、第二溝２２におけるグリースを溜める機能を高めている。
【００５９】
図１０において、これら第二溝２２及び第一溝１３によれば、円環部１０の内周面１２に形成されている第一溝１３に、グリースを保持することができ、また、保持器５の回転に伴い、このグリースを第二溝２２によって柱部２０の径方向内側の面２１へと誘導することができる。そして、誘導されたグリースを、柱部２０とその周方向隣りに設けられるころ４の外周面４ｂとの間（ポケット７）に供給することが可能となり、複列ころ軸受１のグリース潤滑に貢献する。
【００６０】
なお、仮に、第二溝２２が、柱部２０の先部２６まで延びて形成されている場合、第二溝２２に誘導され第二溝２２の溝先端を乗り越えて軸方向に流れたグリースは、ころ４が存在している領域（ポケット７）ではなく、ころ４が存在していない軸方向外側の領域へ多く飛び散ってしまうおそれがある。しかし、本実施形態の第二溝２２によれば、このようなグリースの飛び散りを抑制し、ころ４が存在している領域（ポケット７）にグリースを効果的に供給することが可能となる。
【００６１】
そして、第三溝２３は、円環部１０の内周面１２に形成されており、第一溝１３と繋がっており、円環部１０の背面１４（他側面）側へと延びる溝である。第三溝２３は、第一溝１３内から背面１４まで貫通した溝であり、背面１４において開口している。この第三溝２３によれば、保持器５の回転に伴い、第一溝１３に保持されているグリースを、円環部１０の背面１４へと徐々に供給することができる。つまり、第三溝２３は、前記グリースを背面１４へと誘導する機能を有している。
【００６２】
第二溝２２と第三溝２３とは、周方向について同じピッチで形成されており、保持器５の中心線に平行な仮想直線に沿って形成された溝である。つまり、第二溝２２と第三溝２３によって、一つの仮想直線に沿って形成された連続溝が形成されている。
【００６３】
〔６．  溝断面形状について〕
図１３は、第一溝１３の溝断面形状（横断面形状）を説明する説明図である。図１３に示す第一溝１３の溝断面形状は、円弧形状であり、一定の半径を有する円弧からなる。最も径方向内側の開口端で溝幅Ｂが最大であり、この開口端から径方向外側に向かうにしたがって溝の軸方向寸法が小さくなる。つまり、第一溝１３の溝断面形状は、溝底部３０に向かうにしたがって溝幅Ｂが小さくなる形状である。溝底部３０は、第一溝１３内で最も径方向外側に位置する部分であり、図１３の場合、溝底部３０は周方向に連続している。そして、この第一溝１３は、溝長手方向（周方向）に沿って断面形状が変化しない。
【００６４】
第一溝１３は、溝底部３０から径方向内側へ広がる溝側面３１，３２を有しており、溝側面３１，３２は、溝底部３０から溝幅方向の両側に設けられている。この溝断面形状によれば、円環部１０の内周面１２に、溝底部３０よりも径方向内側に位置する面が、第一溝１３の溝幅方向の両側に形成された構成となる。
このため、保持器５が急加速して回転しても、溝底部３０及びその両側の溝側面３１，３２によって囲まれた溝（１３）内に溜められているグリースが、両側の溝側面３１，３２によって、溝（１３）内から飛び散るのを抑えることができ、早期にグリース不足となるのを抑制することができる。
しかも、溝（１３）内に保持されているグリースは、保持器５の回転に伴って徐々に溝側面３１，３２それぞれをつたって内周面１２のうちの第一溝１３の両側の面に出ることができ、やがて、この面に達したグリースを、環状部１０の一側面１１側及び他側面（背面１４）側へ供給することができる。
【００６５】
なお、第二溝２２（図１０参照）の溝断面形状は、第一溝１３と交差する部分では第一溝１３の溝断面形状と同じであるが、溝先端に向かうにしたがって溝深さ及び溝幅が小さくなる。
また、第三溝２３の断面形状は、第一溝１３と同じであり、溝長手方向（軸方向）に沿って断面形状が変化しない。
【００６６】
〔７．  溝断面形状の他の例について〕
図１５（Ａ）（Ｂ）（Ｃ）それぞれは、第一溝１３の他の形態の説明図である。
図１５（Ａ）に示す第一溝１３の溝断面形状は、図１３に示すものよりも、溝深さが浅い。この場合、図１３に示す第一溝１３と比較して、グリースの保持性能は低くなるが、グリースを一側面１１及び背面１４側へ供給しやすくなる。
【００６７】
図１５（Ｂ）に示す第一溝１３は、溝断面（横断面）において直線状となる溝底部３０を有している。つまり、第一溝１３の溝底部３０は、円筒状の溝底面からなる。そして、この溝底部３０の溝幅方向の両側に溝側面３１，３２が設けられており、これら溝側面３１，３２は、円環形状となり、溝底部３０から径方向内側へ広がるように形成されている。
【００６８】
図１５（Ｃ）に示す第一溝１３の溝断面形状は、溝底部３０を頂点とするほぼ三角形である。溝断面（横断面）において、溝底部３０は、径方向外側に凸となる小円弧部を有する凹形状となる。そして、この溝底部３０の溝幅方向の両側に溝側面３１，３２が設けられており、これら溝側面３１，３２は、溝底部３０から径方向内側へ広がるように形成されている。
【００６９】
図１６（Ａ）（Ｂ）（Ｃ）それぞれは、第一溝１３のさらに他の形態の説明図である。
図１６（Ａ）に示す第一溝１３の溝断面形状は、複合円弧からなる。つまり、溝断面は、半径Ｒ１を有する第一円弧面３４と、この第一円弧面３４の溝幅方向両側に設けられ半径Ｒ１と大きさが異なる半径Ｒ２を有する第二円弧面３５，３５とを含む。第一円弧面３４と第二円弧面３５，３５とは滑らかに連続しており、また、第二円弧面３５，３５は円環部１０の内周面１２と滑らかに連続している。
溝底部３０は、第一円弧面３４の最も径方向外側の部分からなる。そして、この溝底部３０の溝幅方向の両側に溝側面３１，３２が設けられており、これら溝側面３１，３２は、溝底部３０から径方向内側へ広がるように形成されている。溝側面３１，３２それぞれは、第一円弧面３４の一部（溝底部３０を除く部分）と、第二円弧面３５とを含む。
【００７０】
図１６（Ｂ）に示す円環部１０の内周面１２には、複数（図例では三つ）の第一溝１３が形成されている。これら第一溝１３それぞれの溝断面形状は、図１３に示す第一溝１３の溝断面形状と異なる（図１６（Ｂ）では、軸方向に偏平させた形状である）が、図１３に示す第一溝１３と同様の構成及び機能を有する。なお、図１６（Ｂ）の場合、三つの第一溝１３それぞれの溝断面形状は同じであるが、異なっていてもよい。
【００７１】
図１６（Ｃ）に示す第一溝１３は、例えば図１３に示す第一溝１３と比較して、溝幅Ｂが大きい。溝幅Ｂと円環部１０の内周面１２の軸方向寸法Ａとの比（Ｂ／Ａ）が、０．７以上０．９以下に設定されている。また、図１３に示す第一溝１３と比較して、図１６（Ｃ）に示す第一溝１３の溝深さＤは浅い。そして、この図１６（Ｃ）に示す第一溝１３は、図１５（Ｂ）に示す第一溝１３と同様に、溝断面において直線状となる溝底部３０を有している。つまり、第一溝１３の溝底部３０は、円筒状の溝底面からなる。
【００７２】
図１５及び図１６に示す各第一溝１３が形成されている保持器５の保持器内面９に、更に、第二溝２２を形成する場合、その第二溝２２の溝断面形状は、第一溝１３と交差する部分では第一溝１３の溝断面形状と同じであるが、溝先端に向かうにしたがって溝深さ及び溝幅が小さくなる。または、その第二溝２２の溝断面形状は、第一溝１３の溝断面形状と異なっていてもよく、例えば、図１０に示す第二溝２２と同様の形状であってもよい。
また、図１５及び図１６に示す各第一溝１３が形成されている保持器５の保持器内面９に、更に、第三溝２３を形成する場合、その第三溝２３の断面形状は、第一溝１３と同じであり、溝長手方向（軸方向）に沿って断面形状が変化しない。または、その第三溝２３の溝断面形状は、第一溝１３の溝断面形状と異なっていてもよく、例えば、図１０に示す第二溝２２と同様の形状であってもよい。
【００７３】
図１５（Ｂ）及び図１６（Ｃ）に示す各溝断面形状は、溝底部３０における溝幅寸法Ｂと径方向内側の開口端における溝幅寸法Ｂとが同じとなる。また、図１３、図１５及び図１６に示す他の横断面形状は、溝底部３０から径方向内側へ向かうにしたがって溝幅寸法Ｂが拡大する。このため、溝内にグリースを保持することができるのみならず、溝内に保持されているグリースは、保持器５の回転に伴う遠心力により、溝側面３１，３２に沿って保持器内面９へ徐々に流れることができる。さらに、そのグリースは円環部１０の背面１４及びポケット７へと供給され、グリースは、複列ころ軸受１の潤滑に寄与することができる。
【００７４】
〔８．  他の形態の保持器５について〕
前記実施形態（図９参照）では、保持器内面９に、第一溝１３、第二溝２２及び第三溝２３が形成されている場合について説明した。他の形態の保持器５として、図１７に示すように、保持器内面９には第一溝１３のみが形成されている。つまり、円環部１０の内周面１２に、周方向を溝長手方向とする第一溝１３が形成されている。なお、図１７は、環状である保持器５を平面的に展開し、その保持器内面９を模式的に示した図である。図１７に示す第一溝１３は、図９に示す第一溝１３と構成が同じであり、ここでは、その詳細についての説明を省略する。
【００７５】
この保持器５においても、円環部１０の内周面１２に形成されている第一溝１３に、グリースを保持することができる。そして、保持器５の回転に伴い、この第一溝１３に保持されたグリースを、円環部１０の一側面１１側及び背面１４（他側面）側へと徐々に供給することが可能となる。
【００７６】
さらに他の形態の保持器５として、図１８に示すように、保持器内面９には第二溝２２のみが形成されている。つまり、柱部２０の径方向内側の面２１に、この柱部２０の延設方向を溝長手方向とする第二溝２２が形成されている。図１８に示す第二溝２２は、図９に示す第二溝２２と構成がほぼ同じであり、ここでは、その詳細についての説明を省略する。ただし、図１８に示す第二溝２２の溝長手方向（左側）の一端部は、背面１４で開口しておらず、円環部１０の内周面１２の上に存在している。
【００７７】
この保持器５においても、柱部２０の径方向内側の面２１に形成されている第二溝２２に、グリースを保持することができる。そして、保持器５の回転に伴い、この第二溝２２に保持されたグリースを、柱部２０とその周方向隣りに設けられるころ４との間に供給することが可能となる。
【００７８】
なお、図示省略するが、保持器内面９に、第一溝１３と第二溝２２とのみを形成してもよい。
また、図１８の二点鎖線で示すように、保持器５の中心線に平行な仮想直線に沿う方向を溝長手方向とする（第二溝２２のような）溝２２ａを、第二溝２２とは別に、又は、第二溝２２に代えて、円環部１０の内周面１２に形成してもよい。
【００７９】
〔９．  保持器５の機能について（その４）〕
以上の前記各実施形態に係る保持器５によれば、ポケット７内のころ４の端面４ａが対向する面１５（一側面１１）に、端面４ａ側に開口している凹部１６が形成されており、この凹部１６により、ころ４の端面４ａとの間でグリースを保持することができる。更に、この凹部１６は、円環部１０の内周面１２において開口していることから、その内周面１２に存在しているグリースが導入される。
特に、本実施形態では、円環部１０の内周面１２に第一溝１３が形成されていることから、この第一溝１３にはグリースが保持されており、また、この第一溝１３と凹部１６とが繋がっていることから、保持されているグリースを、凹部１６へ導入することができる。
【００８０】
このため、円環部１０の内周面１２に存在しているグリースを凹部１６に導入させることで、安定してころ４の端面ａと保持器５の前記面１５（一側面１１）との間にグリースを保持させることが可能となる。この結果、複列ころ軸受１内において早期にグリース不足となるのを抑制することができ、グリース不足による複列ころ軸受１の寿命の低下を防ぐことができる。
【００８１】
さらに、凹部１６に含まれる底面１７（図１２参照）は、径方向内側から径方向外側へ向かうにしたがってころ４の端面ａへ接近する傾斜面からなる。このため、保持器５の回転に伴う遠心力によって、円環部１０の内周側のグリースを、凹部１６内で径方向外側へ底面１７に沿って誘導することができ、このグリースをころ４の端面４ａとの間に効率良く供給することが可能となる。
【００８２】
また、凹部１６内の径方向外側には、外側壁面１８が形成されている。このため、保持器５の回転に伴う遠心力によって、凹部１６内に保持されているグリースが過度に凹部１６外へ出るのを、外側壁面１８により抑えることができ、凹部１６におけるグリースの保持機能を高めることができる。
【００８３】
また、本実施形態の保持器５は樹脂製であることから、金属製（例えば黄銅製）とするよりも、回転抵抗を小さくすることができ、低騒音であり、高速回転対応性能が高い。
なお、保持器には黄銅製（銅合金製）のものがあるが、特に高速回転の環境で用いられる場合、保持器の内周面、外周面及びポケット面等が、内輪、外輪及びころに接触することで摩耗し、摩耗粉が発生する。この摩耗粉が、複列ころ軸受の潤滑用のグリース中に混入すると、グリースの潤滑性能が劣化し、軸受の焼き付きや損傷の原因になるおそれがある。しかし、本実施形態の保持器５は樹脂製であるため、前記のような摩耗粉によるグリースの潤滑性能の劣化を防ぐことができる。つまり、樹脂製の保持器５は、黄銅製のものに比べて高速回転に適している。
【００８４】
また、保持器５は櫛型であり、柱部２０は円環部１０から軸方向に突出している片持ち梁状であるため、柱部２０の先部側はある程度自由に変形できる。このため、複列ころ軸受１が回転し、ころ４の進み遅れによって保持器５に引っ張り力と圧縮力とが繰り返し作用しても、その力を逃がすことができ、破損が生じにくい。
【００８５】
また、本発明の複列ころ軸受及び保持器は、図示する形態に限らず本発明の範囲内において他の形態のものであってもよい。例えば、前記実施形態では、凹部１６の底面１７を傾斜面としたが、これ以外として、段付き面であってもよく、また、底面１７は、一側面１１と平行な平面であってもよい。
また、前記実施形態では、第一溝１３の他に、第二溝２２及び第三溝２３を有している場合について説明したが、図１９に示すように、第一溝１３、更には、第二溝２２及び第三溝２３を省略してもよい。この場合、凹部１６は、円環部１０の平滑な内周面１２において開口しており、この内周面１２に存在しているグリースを凹部１６へ導入させることができる。凹部１６の形状及び機能は、前記実施形態で説明したものと同じであり、ここでは詳細な説明を省略する。
また、第一溝１３を設ける場合、その第一溝１３を、周方向に連続する溝とする以外に、断続的（間欠的）な溝であってもよい。
また、複列ころ軸受１は、工作機械の主軸６の支持以外の用途であってもよい。
【００８６】
また、前記実施形態では、円環部１０の一側面に凹部１６が設けられ、更に保持器内面９に溝（１３，２２，２３）が設けられている場合（図９参照）、及び、円環部１０の一側面に凹部１６が設けられているが、保持器内面９に溝（１３，２２，２３）は設けられていない場合（図１９参照）について説明したが、これ以外に、図２０に示すように、溝（１３，２２，２３）は設けられているが、凹部１６については設けられていない保持器５であってもよい。
【符号の説明】
【００８７】
１：複列ころ軸受    ２：内輪    ３：外輪
３ｃ：内周面    ４：ころ    ５：保持器（櫛型保持器）
７：ポケット    １０：円環部    １１：一側面
１４：背面（他側面）    ２０：柱部    ４１：凸部
４２：凹部    ４３：第１円弧部    ４４：第２円弧部
４５：径方向外側面    ４６：円弧面    ４７：小径面
Ｙ：隙間    Ｙ２：隙間寸法    Ｙ３：隙間寸法
Ｅ０：軸方向寸法    Ｅ１：軸方向寸法
【図１】
2014228037.tif 000003
【図２】
2014228037.tif 000004
【図３】
2014228037.tif 000005
【図４】
2014228037.tif 000006
【図５】
2014228037.tif 000007
【図６】
2014228037.tif 000008
【図７】
2014228037.tif 000009
【図８】
2014228037.tif 000010
【図９】
2014228037.tif 000011
【図１０】
2014228037.tif 000012
【図１１】
2014228037.tif 000013
【図１２】
2014228037.tif 000014
【図１３】
2014228037.tif 000015
【図１４】
2014228037.tif 000016
【図１５】
2014228037.tif 000017
【図１６】
2014228037.tif 000018
【図１７】
2014228037.tif 000019
【図１８】
2014228037.tif 000020
【図１９】
2014228037.tif 000021
【図２０】
2014228037.tif 000022